(57)【要約】【課題】葉物野菜や茶葉といった植物の葉の保存性を高めることができる植物の葉用ポリフェノール増加剤、植物の葉用ポリフェノールおよびアミノ酸増加剤、樹脂ペレット、植物の葉保存用シートならびに植物の葉保存用シートの製造方法を提供する。【解決手段】植物の葉用ポリフェノール増加剤が、プロアントシアニジンとトレハロースとを含む。植物の葉用ポリフェノール増加剤は、プロアントシアニジンとトレハロースとが１：１５乃至１：６０の重量比で含まれていることが好ましい。植物の葉保存用シートが、植物の葉用ポリフェノール増加剤を含んでいる。【選択図】図１
2012213350.tif 000002
【特許請求の範囲】
【請求項１】
プロアントシアニジンとトレハロースとを含むことを特徴とする植物の葉用ポリフェノール増加剤。
【請求項２】
プロアントシアニジンとトレハロースとを含むことを特徴とする植物の葉用ポリフェノールおよびアミノ酸増加剤。
【請求項３】
前記プロアントシアニジンと前記トレハロースとが１：１５乃至１：６０の重量比で含まれていることを特徴とする請求項１記載の植物の葉用ポリフェノール増加剤または請求項２記載の植物の葉用ポリフェノールおよびアミノ酸増加剤。
【請求項４】
請求項１記載の植物の葉用ポリフェノール増加剤または請求項２記載の植物の葉用ポリフェノールおよびアミノ酸増加剤を含んでいることを特徴とする樹脂ペレット。
【請求項５】
請求項１記載の植物の葉用ポリフェノール増加剤または請求項２記載の植物の葉用ポリフェノールおよびアミノ酸増加剤を含んでいることを特徴とする植物の葉保存用シート。
【請求項６】
請求項４記載の樹脂ペレットを１５０乃至２００℃で融解した後、厚さ２０乃至５０μｍのシート状に加工することを特徴とする植物の葉保存用シートの製造方法。
【発明の詳細な説明】
【技術分野】
【０００１】
本発明は、植物の葉用ポリフェノール増加剤、植物の葉用ポリフェノールおよびアミノ酸増加剤、樹脂ペレット、植物の葉保存用シートならびに植物の葉保存用シートの製造方法に関する。
【背景技術】
【０００２】
食品として使用される植物の葉として、セリやキャベツ、レタス、ほうれん草、大根の葉、茶葉、桑葉などがある。このうち、セリやキャベツ、レタス、ほうれん草などの葉物野菜を、生の状態で長期保存する方法として、複数の孔を有するフィルムから成る袋に入れて保存する方法がある（例えば、特許文献１参照）。また、緑茶やウーロン茶、紅茶の茶葉は、一般的には乾燥して保存されている。これまで主として養蚕に利用されてきた桑の葉も、近年、桑葉茶として生産されており（例えば、特許文献２参照）、生の桑葉を蒸した後、乾燥させて保存されている（例えば、特許文献３参照）。
【先行技術文献】
【特許文献】
【０００３】
【特許文献１】特開平６−１９９３８５号公報
【特許文献２】特開２００６−１０１７３２号公報
【特許文献３】特開平９−２０６０１９号公報
【発明の概要】
【発明が解決しようとする課題】
【０００４】
葉物野菜を生の状態で保存する場合、流通等を考慮すると保存期間が長いほど好ましいため、特許文献１に記載の袋よりもさらに長期間保存することができる方法が望まれている。また、茶葉の場合、従来の乾燥させて保存する方法は、お茶として加工した後の保存性を高めるものであり、加工前の茶葉の保存性を高める方法はこれまで知られていなかった。
【０００５】
本発明は、このような課題に着目してなされたもので、葉物野菜や茶葉といった植物の葉の保存性を高めることができる植物の葉用ポリフェノール増加剤、植物の葉用ポリフェノールおよびアミノ酸増加剤、樹脂ペレット、植物の葉保存用シートならびに植物の葉保存用シートの製造方法を提供することを目的としている。
【課題を解決するための手段】
【０００６】
上記目的を達成するために、本発明に係る植物の葉用ポリフェノール増加剤は、プロアントシアニジンとトレハロースとを含むことを特徴とする。
【０００７】
本発明に係る植物の葉用ポリフェノール増加剤は、トレハロースが植物の葉から放出されるエチレンを吸収し、プロアントシアニジンが過剰に生成されたエチレン酸化物による酸化作用を抑制することにより、植物の葉の腐食を抑制することができる。また、腐敗を抑制することにより乳酸菌を増やすことができ、その結果、乳酸発酵を促進して植物の葉に含まれるポリフェノールを増やすことができる。このように、本発明に係る植物の葉用ポリフェノール増加剤は、葉物野菜や茶葉といった植物の葉の保存性を高めることができる。
【０００８】
本発明に係る植物の葉用ポリフェノールおよびアミノ酸増加剤は、プロアントシアニジンとトレハロースとを含むことを特徴とする。本発明に係る植物の葉用ポリフェノールおよびアミノ酸増加剤は、乳酸発酵を促進して植物の葉に含まれるポリフェノールを増やすことができるとともに、植物の葉に含まれる分岐鎖アミノ酸や必須アミノ酸などを増やすことができ、植物の葉の長期貯蔵、高機能性および栄養分の増強を図ることができる。
【０００９】
本発明に係る植物の葉用ポリフェノール増加剤および本発明に係る植物の葉用ポリフェノールおよびアミノ酸増加剤は、前記プロアントシアニジンと前記トレハロースとが１：１５乃至１：６０の重量比で含まれていることが好ましい。この場合、特にポリフェノールの増加促進効果が高く、植物の葉の保存性が高い。
【００１０】
本発明に係る植物の葉用ポリフェノール増加剤ならびに植物の葉用ポリフェノールおよびアミノ酸増加剤は、植物の葉を保存するためであれば、どのように使用されてもよい。例えば、葉を包むためのシートや葉を収納するための容器に塗布するなどして使用される。本発明に係る植物の葉用ポリフェノール増加剤ならびに植物の葉用ポリフェノールおよびアミノ酸増加剤で、トレハロースは、３種類の異性体、α，α体、α，β体およびβ，β体のいずれであってもよい。また、プロアントシアニジンの原料は、ブドウの種子、黒大豆、その他、原料を問わないが、特にブドウ種子由来のプロアントシアニジンが好ましい。
【００１１】
本発明に係る植物の葉保存用シートは、本発明に係る植物の葉用ポリフェノール増加剤、または本発明に係る植物の葉用ポリフェノールおよびアミノ酸増加剤を含んでいることを特徴とする。
【００１２】
本発明に係る植物の葉保存用シートは、本発明に係る植物の葉用ポリフェノール増加剤、または本発明に係る植物の葉用ポリフェノールおよびアミノ酸増加剤を含んでいるため、葉物野菜や茶葉といった植物の葉の包装等に使用することにより、その植物の葉の保存性を高めることができる。また、植物の葉に含まれるポリフェノールやアミノ酸を増加させることができる。より保存性を高めるため、植物の葉を包んだ後、内部の空気を抜いてもよい。本発明に係る植物の葉保存用シートは、袋状、箱状、折り畳まれた形状、ロール状、その他、いかなる形状から成っていてもよい。
【００１３】
本発明に係る植物の葉保存用シートは、本発明に係る植物の葉用ポリフェノール増加剤、または本発明に係る植物の葉用ポリフェノールおよびアミノ酸増加剤を含む樹脂ペレットを、１５０乃至２００℃で融解した後、厚さ２０乃至５０μｍのシート状に加工して製造されてもよい。樹脂ペレットは、本発明に係る植物の葉用ポリフェノール増加剤または植物の葉用ポリフェノールおよびアミノ酸増加剤と、ポリエチレン、ポリプロピレン、ポリ塩化ビニル、ポリスチレン、ポリアミド、ポリアセタール、ポリエチレンテレフタレート、ポリカーボネート、エチレン−酢酸共重合体およびＡＢＳ樹脂のうちの１または複数から成る樹脂とを混合して形成されていることが好ましい。
【００１４】
また、本発明に係る植物の葉保存用シートは、本発明に係る植物の葉用ポリフェノール増加剤、または本発明に係る植物の葉用ポリフェノールおよびアミノ酸増加剤を、通気性を有するシートに含有させて成っていてもよい。この場合、植物の葉用ポリフェノール増加剤または植物の葉用ポリフェノールおよびアミノ酸増加剤は、それらの水溶液に通気性を有するシートを浸漬させる方法、またはそれらの溶液を通気性を有するシートに噴霧させる方法などによりシートに含有させることができる。また、通気性を有するシートは、例えば、ティッシュペーパー・段ボール紙・その他の紙、不織布、繊維製品、食物繊維などから成り、天然素材であっても人工素材であってもよい。本発明に係る植物の葉保存用シートは、食塩その他のミネラル、抗菌剤、防カビ剤、脱臭剤等の添加剤を含んでいてもよい。
【００１５】
本発明に係る植物の葉保存用シートは、プロアントシアニジンとトレハロースとを通気性を有するシートに含有させて成り、プロアントシアニジンはシートに２５０乃至３００ｍｇ／ｍ２の割合で含有されており、トレハロースはシートに５ｇ／ｍ２の割合で含有されていてもよい。さらに、本発明に係る植物の葉保存用シートは、プロアントシアニジンを含有する植物由来水溶性抽出ポリフェノール３ｇと、トレハロース５ｇとを、１０００ｍｌの蒸留水に溶解させて水溶液を調製し、その水溶液に、プロアントシアニジンの含有量が不織布あたり３００ｍｇ／ｍ２、トレハロースが５ｇ／ｍ２になるようにメッシュ状不織布（目付５０ｇ／ｍ２）を浸した後、熱風乾燥機内で１２０℃で２時間乾燥させて作製されていてもよい。
【００１６】
なお、茶葉の収穫期は短期間であり、収穫後の加工作業も茶葉が腐食しないうちに短期間で行う必要がある。このため、特定の期間に作業が集中し、年間を通じた安定した労働力の確保が難しかった。また、年間を通じて安定した労働力を確保するためには、年間を通じてコンスタントにお茶の加工・生産を行う必要があり、加工前の茶葉を腐食させることなく保存しておく必要がある。本発明に係る植物の葉用ポリフェノール増加剤、植物の葉用ポリフェノールおよびアミノ酸増加剤、ならびに植物の葉保存用シートによれば、茶葉の保存性を高めることができるため、保存した茶葉を利用して、年間を通じてコンスタントにお茶の加工・生産を行うことができる。また、これにより、年間を通じて安定した労働力の確保を図ることができる。
【発明の効果】
【００１７】
本発明によれば、葉物野菜や茶葉といった植物の葉の保存性を高めることができる植物の葉用ポリフェノール増加剤、植物の葉用ポリフェノールおよびアミノ酸増加剤、樹脂ペレット、植物の葉保存用シートならびに植物の葉保存用シートの製造方法を提供することができる。
【図面の簡単な説明】
【００１８】
【図１】本発明の実施の形態の植物の葉保存用シートで茶葉を包んで保存した試料（１／２濃度本発明シート、標準濃度本発明シート）、および他の方法で保存した試料（初発、不織布コントロール、ソルビトールシート）の総アミノ酸量を測定した結果を示すグラフである（各試料の測定は３回（Ｎ＝３）行い、グラフ中の数値がその平均値を示す）。
【図２】本発明の実施の形態の植物の葉保存用シートで桑葉を包んで保存したシート被覆試料、および、桑葉を包まずそのままの状態で保存したコントロール試料の水分量を測定した結果を示すグラフである（各試料の測定は２回（Ｎ＝２）行い、グラフ中の数値がその平均値を示す）。
【図３】本発明の実施の形態の植物の葉保存用シートで桑葉を包んで保存したシート被覆試料、および、桑葉を包まずそのままの状態で保存したコントロール試料のポリフェノール含有量を測定した結果を示すグラフである（各試料の測定は３回（Ｎ＝３）行い、グラフ中の数値がその平均値を示しており、＊は「有意差あり（Ｐ＜０．０５）」を示す）。
【図４】本発明の実施の形態の植物の葉保存用シートで桑葉を包んで保存したシート被覆試料、および、桑葉を包まずそのままの状態で保存したコントロール試料のＤＰＰＨラジカル消去活性（ＤＰＰＨ消去活性）を測定した結果を示すグラフである（各試料の測定は３回（Ｎ＝３）行い、グラフ中の数値がその平均値を示しており、＊は「有意差あり（Ｐ＜０．０５）」を示す）。
【図５】本発明の実施の形態の植物の葉保存用シートで桑葉を包んで保存したシート被覆試料および桑茶の、アミノ酸分析用試料の作成方法を示すフローである。
【図６】図５に示すアミノ酸分析用試料の作成方法の内、Ｓｅｐ−Ｐａｋ  Ｃ１８処理手順を示すフローである。
【図７】生桑葉のアミノ酸分析用試料の作成方法を示すフローである。
【図８】本発明の実施の形態の植物の葉保存用シートで桑葉を包んで保存したシート被覆試料、桑茶および生桑葉の、ＧＡＢＡ代謝系のアミノ酸含有量を示すグラフである。
【図９】本発明の実施の形態の植物の葉保存用シートで桑葉を包んで保存したシート被覆試料、桑茶および生桑葉の、分岐鎖アミノ酸の含有量を示すグラフである。
【図１０】本発明の実施の形態の植物の葉保存用シートで桑葉を包んで保存したシート被覆試料、桑茶および生桑葉の、必須アミノ酸の含有量を示すグラフである。
【図１１】本発明の実施の形態の植物の葉保存用シートから成る袋に桑葉を入れて保存した試料（処理ＰＥ、処理ＰＰ）、および市販の袋で保存した試料（無処理ＰＥ、無処理ＰＰ）の総アミノ酸量を測定した結果を示すグラフである。
【発明を実施するための形態】
【００１９】
以下、実施例に基づき本発明の実施の形態の植物の葉用ポリフェノール増加剤、植物の葉用ポリフェノールおよびアミノ酸増加剤、樹脂ペレット、植物の葉保存用シートならびに植物の葉保存用シートの製造方法について説明する。
【実施例１】
【００２０】
本発明の実施の形態の植物の葉保存用シートによる、茶葉に対する保存性およびアミノ酸の変化に関する試験を行った。ここで使用する植物の葉保存用シートは、プロアントシアニジンとトレハロースとを含む植物の葉用ポリフェノール増加剤（植物の葉用ポリフェノールおよびアミノ酸増加剤）を、通気性を有するシートに含有させて成っている。植物の葉保存用シートは、以下の方法で製造されている。まず、ブドウ種子由来水溶性抽出ポリフェノール（プロアントシアニジン含有量９５重量％、商品名「ロイコセレクト」、インデナ社製）３ｇと、トレハロース５ｇとを１０００ｍｌの蒸留水に溶解させて水溶液を調製し、その水溶液に、メッシュ状不織布（大きさ４０ｃｍ×４０ｃｍ、目付５０ｇ／ｍ２）を浸した後、熱風乾燥機内で１２０℃で２時間乾燥させた。
【００２１】
植物の葉保存用シートは、プロアントシアニジンの含有量が不織布あたり２５０ｍｇ／ｍ２、トレハロースが５ｇ／ｍ２になるようにしたもの（以下、「標準濃度本発明シート」という）、および、プロアントシアニジンが１２５ｍｇ／ｍ２、トレハロースが２．５ｇ／ｍ２になるようにしたもの（以下、「１／２濃度本発明シート」という）の２種類を用意した。また、試験に使用する茶葉として、２００９年度４月下旬に収穫された静岡県産の茶葉を用いた。
【００２２】
［茶葉の保存試験］
植物の葉保存用シートで茶葉を包み、チャック付きの袋に入れて、４℃で１５日間冷蔵保存した。また、比較試験として、茶葉を包まずそのままの状態でチャック付きの袋に入れたもの（以下、「初発」という）、茶葉を不織布で包んでチャック付きの袋に入れたもの（以下、「不織布コントロール」という）、標準濃度本発明シートのトレハロースの代わりにソルビトールを配合した不織布のシートで茶葉を包み、チャック付きの袋に入れたもの（以下、「ソルビトールシート」という）を、同じ条件で保存した。
【００２３】
その結果、初発および不織布コントロールでは、褐変している茶葉の一部が腐敗して溶けた状態になっており、腐ったぞうきんの様な匂いを発していることが確認された。これに対し、１／２濃度本発明シートおよび標準濃度本発明シートでは、褐変した茶葉が混じっているが、褐変した茶葉にも弾力性がある状態であり、うっすらと茶葉の匂いに、何か別の匂いが混じっていることが確認された。この匂いから、植物の葉保存用シートを使用して保存した茶葉は、乳酸発酵が進んでいると考えられる。また、ソルビトールシートでは、褐変した茶葉が混じっているが、褐変した茶葉にも弾力性がある状態であり、茶葉の匂いのみがすることが確認された。この結果から、乳酸発酵にはトレハロースが必要であり、保存性を向上させる物質としてプロアントシアニジンが作用していると考えられる。
【００２４】
［総アミノ酸量の測定］
保存試験を行った各試料について、ニンヒドリン反応法にてアミノ酸測定を行った。ニンヒドリン試薬は、Ｌ−８９００用ニンヒドリン発色溶液セット（和光純薬工業株式会社製）を用いた。測定試料の調製は、９６Ｗｅｌｌマルチプレートに、試料５０μｌ、発色溶液Ａ  ５０μｌ、発色溶液Ｂ  ５０μｌをそれぞれ加えて撹拌後、８０℃のオーブンにて５分間加熱した。これをマルチプレートリーダー（製品名「ＭＴＰ−４５０」、コロナ電気株式会社製）を用い、５５０ｎｍにて測定した。検量線は、アミノ酸混合標準液ＡＮ−ＩＩ型とＢ型とを混合した物（４０種類のアミノ酸各２ｎｍｏｌ含有）を用いて作成した。
【００２５】
各試料は、ニンヒドリン反応にて測定した値と水分計にて測定した水分量とを元に、茶葉乾燥重量１ｇ当たりの総アミノ酸量を算出した。測定結果を、図１に示す。図１に示すように、総アミノ酸含有量は、標準濃度本発明シートが最も多く、初発値に対し３４％増加していることが確認された。トレハロースの代わりに同量のソルビトールを配合した場合（ソルビトールシート）には、総アミノ酸の増加は認められなかった。
【実施例２】
【００２６】
本発明の実施の形態の植物の葉保存用シートによる、桑葉に対する保存性ならびに、貯蔵熟成による付加価値の検証としてポリフェノールの増加およびアミノ酸の変化に関する試験を行った。ここで使用する植物の葉保存用シートは、実施例１の植物の葉保存用シートと同様の製造方法で、プロアントシアニジンの含有量が不織布あたり３００ｍｇ／ｍ２、トレハロースが５ｇ／ｍ２になるように製造したものから成っている。また、試験試料として、岩手県北上市で生産された、２００９年度１０月産の桑葉を用いた。
【００２７】
［桑葉の保存性］
植物の葉保存用シートで桑葉を包み、気温が４℃の場所で４０日間保存した（以下、「シート被覆試料」という）。また、比較試験として、桑葉を包まずそのままの状態のもの（以下、「コントロール試料」という）を、気温が４℃の場所で４０日間保存した。
【００２８】
その結果、保存前の初期状態に比べて、コントロール試料、シート被覆試料ともに茶色に変色しているものが観察された。また、コントロール試料では、カビのようなものが付着し、柔軟性がない腐敗した桑葉が混在していたが、シート被覆試料では、カビのようなものが付着したものはほとんどなく、桑葉自体も柔軟性を有していることが観察された。
【００２９】
このように、植物の葉保存用シートは、桑葉を包むことにより、桑葉の腐食を抑制し、加工前の桑葉の保存性を高めることができることが確認された。植物の葉保存用シートは、トレハロースが桑葉から放出されるエチレンを吸収し、プロアントシアニジンが過剰に生成されたエチレン酸化物による酸化作用を抑制することにより、桑葉の腐食を抑制するものと考えられる。植物の葉保存用シートで包んで保存した桑葉を利用して、年間を通じてコンスタントに桑葉茶の加工・生産を行うことにより、年間を通じた安定した労働力の確保を図ることができる。
【００３０】
［ポリフェノールの測定］
シート被覆試料およびコントロール試料のそれぞれについて、桑葉の湿重量に対して４倍量のエタノールを加えて磨砕、攪拌し、これを遠心分離して得られた上清を、桑葉ポリフェノール抽出液とした。この桑葉ポリフェノール抽出液を用いて、比色検定法であるＦｏｌｉｎ  Ｃｉｏｃａｌｔｅｕ’ｓ法によりポリフェノール含有量の測定を行った。
【００３１】
測定手順は、まず、試験容器として９６ｗｅｌｌマルチプレートを用い、シート被覆試料およびコントロール試料の各桑葉ポリフェノール抽出液を１０μリットル、２倍希釈したＦｏｌｉｎ  Ｃｉｏｃａｌｔｅｕ’ｓを１０μリットル、試薬蒸留水を１６０μリットル、さらにデータ誤差を防ぐため最後に飽和炭酸ナトリウム水溶液を２０μリットル加え、これらを攪拌後、３０分間室温にて反応させた。測定機器としてマルチプレートリーダー（製品名「ＤＴＸ−８００」、Ｂｅｃｋｍａｎ  Ｃｏｕｌｔｅｒ，Ｉｎｃ．製）を用い、測定波長６２０ｎｍで、ポリフェノール含有量を没食子酸相当量として算出した。
【００３２】
まず、シート被覆試料およびコントロール試料のそれぞれの桑葉について、水分量の比較を行った。その結果を図２に示す。図２に示すように、シート被覆試料の方が、コントロール試料に比べて、初期状態よりもより多く水分を含有していたが、各水分含有量の統計学的有意差をＴｕｒｋｅｙ−Ｋｒａｍｅｒの多重比較解析法にて有意水準５％で解析した結果、有意差は認められなかった。
【００３３】
次に、シート被覆試料およびコントロール試料のそれぞれの桑葉の、桑葉乾燥重量１ｇ当たりのポリフェノール含有量を、−８０℃を初期値として図３に示す。図３に示すように、シート被覆試料およびコントロール試料ともに、初期値よりもポリフェノールが増加していることが確認された。また、シート被覆試料の方が、コントロール試料に比べてポリフェノールの増加量が多く、初期値の１．８倍、コントロール試料の１．４倍に増加していることも確認された。各ポリフェノール含有量の統計学的有意差をＴｕｒｋｅｙ−Ｋｒａｍｅｒの多重比較解析法にて有意水準５％で解析した結果、初期値とシート被覆試料との間に有意差が認められた。
【００３４】
このように、植物の葉保存用シートは、桑葉を包むことにより、桑葉に含まれるポリフェノールの増加を促進させることが確認された。この原因として、植物の葉保存用シートで腐敗菌を抑制することにより乳酸菌が増え、その結果、乳酸発酵が進んでポリフェノールが増加することが考えられる。
【００３５】
［ＤＰＰＨラジカル消去活性の測定］
ポリフェノールの抗酸化力を調べるために、ＤＰＰＨ法にて、ＤＰＰＨラジカル消去活性の測定を行った。ＤＰＰＨラジカル消去活性は、８０％エタノール溶液を１００％として算出した。測定は、測定容器として９６ｗｅｌｌマルチプレートを、測定機器としてマルチプレートリーダー（製品名「ＤＴＸ−８００」、Ｂｅｃｋｍａｎ  Ｃｏｕｌｔｅｒ，Ｉｎｃ．製）を用い、測定波長を５２０ｎｍとして行った。
【００３６】
測定は、まず、各ｗｅｌｌに、シート被覆試料およびコントロール試料の各桑葉ポリフェノール抽出液を５０μリットル（希釈が必要な場合は８０％エタノールにて行う）、１００ｍＭ  Ｔｒｉｓ−ＨＣｌ（ｐＨ７．５）を８０μリットル、試薬蒸留水を４０μリットル、最後にＤＰＰＨエタノール溶液（５ｍＭ  ＤＰＰＨ、１００％エタノール）を４０μリットル加えて攪拌し、２０分間反応させたものについて行った。ブランクには、抽出試料を８０％エタノールで置き換えたものを用いた。
【００３７】
シート被覆試料およびコントロール試料についてのＤＰＰＨラジカル消去活性の測定結果を、図４に示す。図４に示すように、桑葉１ｇ当たりのＤＰＰＨラジカル消去活性は、シート被覆試料およびコントロール試料ともに、初期値より増加していることが確認された。また、シート被覆試料の方が、コントロール試料に比べてＤＰＰＨラジカル消去活性の増加量が多く、初期値の１．７倍、コントロール試料の１．２倍に増加していることも確認された。各ＤＰＰＨラジカル消去活性の統計学的有意差をＴｕｒｋｅｙ−Ｋｒａｍｅｒの多重比較解析法にて有意水準５％で解析した結果、初期値とシート被覆試料との間に有意差が認められた。
【００３８】
このように、ＤＰＰＨラジカル消去活性を指標とした抗酸化能は、桑葉当りでシート被覆試料が最も高いことが確認された。このことから、植物の葉保存用シートは、桑葉を包むことにより、桑葉に含まれるポリフェノールの抗酸化能をより高めることができるといえる。
【００３９】
［アミノ酸分析］
シート被覆試料についてアミノ酸分析を行った。比較のため、市販の桑茶（商品名「更木桑茶」）についてもアミノ酸分析を行った。また、初期状態を確認するため、冷凍保存した生桑葉についてもアミノ酸分析を行った。
【００４０】
分析用の試料は、以下のようにして作成した。まず、シート被覆試料および桑茶は、図５に示すように、粗く粉砕してそれぞれ０．４ｇずつ分収し、それぞれ４０ｍｌの熱水を加えて撹拌した後、３０分間静置した。これを遠心分離して得られた水溶性画分（上清）を熱水抽出物（ＨＷＳ）とした。各ＨＷＳをそれぞれ３０ｍｌずつ分収し、１２０ｍｌのエタノールを加えて撹拌した後、３０分間静置した。これらを遠心分離して得られた上清をアルコール可溶画分（ＡＳ）とした。各ＡＳ画分１３０ｍｌをそれぞれ減圧濃縮にて乾固し、１３ｍｌの蒸留水に溶解してアルコール可溶水解物（ＡＷＳ）とした。
【００４１】
次に、図６に示すように、各ＡＷＳ画分２ｍｌを、Ｓｅｐ−Ｐａｋ  Ｃ１８  Ｐｌｕｓ（３６０ｍｇ）に供し、吸着したものを、エタノール：０．１％ＴＦＡ＝７：３の溶液２ｍｌにて溶出した。この吸着画分を、図５に示すように、濃縮乾固して、０．０２ＮのＨＣｌにて溶解し、０．２２μｍフィルター（ＭＩＬＬＩＰＯＲＥ社製）にて濾過したものをアミノ酸分析試料とした。
【００４２】
生桑茶は、図７に示すように、約８ｇを分収し、４倍量のエタノールと８０％エタノール１００ｍｌ（撹拌のため）とを加え、ミキサー（製品名「Ｆｏｒｃｅ  Ｍｉｌｌ」：株式会社島津ジーエルシー社製）にて磨砕・撹拌処理を行った。これを遠心分離して得られたアルコール可溶液をアルコール抽出物（ＡＳ）とした。このＡＳ画分を２ｍｌ採り、３０ｍｌの蒸留水を加えて５％程度のアルコール濃度にし、Ｓｅｐ−Ｐａｋ  Ｃ１８を用いて図６に示す操作を行った。この吸着画分を、図５と同様に、濃縮乾固して、０．０２ＮのＨＣｌにて溶解し、０．２２μｍフィルター（ＭＩＬＬＩＰＯＲＥ社製）にて濾過したものをアミノ酸分析試料とした。
【００４３】
作成した各アミノ酸分析試料を用いて、ニンヒドリン反応法にてアミノ酸測定を行った。アミノ酸含有量の測定には、Ｌ−８９００アミノ酸分析用ニンヒドリン試薬セットおよびアミノ酸分析計（製品名「Ｌ−８９００」、株式会社日立ハイテクノロジーズ社製）を用いた。反応条件は、分析試料０．１ｍｌ、ニンヒドリン試薬１ｍｌ、ニンヒドリンバッファー１ｍｌを試験管にて混和し、沸騰水浴中にて３分間反応させた。これを５７０ｎｍにて測定し、含有濃度を測定した。
【００４４】
シート被覆試料、桑茶および生桑葉について、それぞれアミノ酸分析試料を２試料ずつ作成した。作成した試料について各種アミノ酸含有量の測定を行い、固形物１ｇ当の含有量を求め、シート被覆試料（「本発明処理」）、桑茶および生桑葉のそれぞれについて、２試料の測定結果の平均値を求めた。その結果を、表１、図８、図９および図１０に示す。
【００４５】
【表１】
2012213350.tif 000003
【００４６】
アミノ酸分析により、以下のことが確認された。表１、図８、図９および図１０に示すように、桑葉を植物の葉保存用シートで包んで保存すること（本発明処理）により、保存前の初期状態を示すと考えられる生桑葉と比べて、ＧＡＢＡ代謝の原料となるアスパラギン酸、グルタミン酸は増加したが、ＧＡＢＡ（ｇ−ＡＢＡ）は減少した。抗酸化作用、生体のタンパクの代謝をコントロールする含硫アミノ酸は、生桑葉と本発明処理とでは大きな変化は見られなかった。エネルギー燃焼や筋肉繊維の合成を促進する機能を有する分岐鎖アミノ酸（ＢＣＡＡ：Ｂｒａｎｃｈｅｄ  Ｃｈａｉｎ  Ａｍｉｎｏ  Ａｃｉｄ）であるバリン、ロイシン、イソロイシンは、本発明処理により増加した。必須アミノ酸であるヒスチジン、フェニルアラニン、スレオニン、リジンが、本発明処理により増加した。本発明処理した桑葉は、総アミノ酸含有量が生桑葉の約１．８倍になっていた。
【００４７】
なお、茶葉および桑葉においては、アスパラギン酸からグルタミン酸が生成され、嫌気条件下でグルタミン酸が脱炭酸されてＧＡＢＡが生成されることが知られている。表１および図８に示すように、植物の葉保存用シートで保存したとき、ＧＡＢＡは保存開始前に比べて減少しているが、原料となるアスパラギン酸およびグルタミン酸は増加している。ＧＡＢＡが減少する一つの可能性として、アミノ酸転移酵素による反応が進んだ可能性がある。すなわち、ｇ−アミノ酪酸アミノトランスフェラーゼにより、ＧＡＢＡ＋α−ケトグルタル酸から、グルタミン酸＋コハク酸セミアルデヒドを生成する反応が進んだ可能性が考えられる。しかし、ＧＡＢＡの減少量とアスパラギン酸、グルタミン酸の増加量とを比較すると、明らかに増加が多くなっている。また、植物の葉保存用シートを用いて保存した桑葉では、分岐アミノ酸、酸性アミノ酸、必須アミノ酸など、多くの種類のアミノ酸が増加している。この増加のメカニズムは明らかではないが、桑葉の発酵が進みタンパクが分解されて増加したもの、もしくは発酵の際に菌類が生成したものと考えられる。
【００４８】
このように、桑葉を植物の葉保存用シートで保存することにより、長期貯蔵、高機能性および栄養分の増強を図ることができ、桑葉を、高機能を有するお茶の原料とすることができる。
【実施例３】
【００４９】
本発明の実施の形態の植物の葉保存用シートによる、茶葉を保存したときのアミノ酸の変化に関する試験を行った。ここで使用する植物の葉保存用シートの原料には、プロアントシアニジンとトレハロースとを含む植物の葉用ポリフェノール増加剤（植物の葉用ポリフェノールおよびアミノ酸増加剤）と、１５０乃至２００℃で融解したポリプロピレンまたはポリエチレンとを混合して形成された樹脂ペレットを用いた。植物の葉保存用シートは、この樹脂ペレットを１５０乃至２００℃で融解した後、厚さ２０乃至５０μｍのシート状に加工したものから成る。樹脂ペレットおよび植物の葉保存用シートは、トレハロース：プロアントシアニジンを２０：１の重量比で含む植物の葉用ポリフェノール増加剤を、０．２重量％含有している。ポリプロピレンを使用した植物の葉保存用シートを袋にしたもの（以下、「処理ＰＰ」という）、および、ポリエチレンを使用した植物の葉保存用シートを袋にしたもの（以下、「処理ＰＥ」という）を試験に用いた。また、試験には、平成２２年に収穫された岩手県北上産の桑葉を用いた。
【００５０】
処理ＰＰおよび処理ＰＥのそれぞれの袋の中に桑葉約３０ｇを入れる。また、比較試験として、市販のポリプロピレン製の袋（以下、「無処理ＰＰ」という）、および、市販のポリエチレン製の袋（以下、「無処理ＰＥ」という）の中に、桑葉約３０ｇを入れる。これらの袋を、口を閉じず開放したままの状態で、４℃で冷蔵保存した。処理ＰＰおよび無処理ＰＰは保存期間を２０日間、処理ＰＥおよび無処理ＰＥは保存期間を２２日間とした。
【００５１】
［アミノ酸分析］
アミノ酸分析用の試料は、実施例２と同様にして、以下のように作成した。まず、桑葉湿重量約７．５ｇに対して４倍量のエタノール（約３０ｍｌ）と、８０％エタノールを３０ｍｌとを加えて磨砕、攪拌し、これを遠心分離して得られた上清を、抽出液とする。これを、各試料について３検体ずつ調製した。
【００５２】
次に、各抽出液のＡＷＳ画分１ｍｌを、Ｓｅｐ−Ｐａｋ  Ｃ１８  Ｐｌｕｓ（３６０ｍｇ）に供し、吸着したものをエタノール：０．１％ＴＦＡ＝７：３の溶液２ｍｌにて溶出した。また、生桑葉のＡＳ画分を２ｍｌ取り、３０ｍｌの蒸留水を加えて５％程度のアルコール濃度にし、Ｓｅｐ−Ｐａｋ  Ｃ１８を用いて同様の操作を行った。これらの吸着画分を濃縮乾固して、０．０２ＮのＨＣｌにて溶解し、０．２２μｍフィルター（ＭＩＬＬＩＰＯＲＥ社製）にて濾過した物をアミノ酸分析試料とした。
【００５３】
作成した各アミノ酸分析試料を用いて、ニンヒドリン反応法にてアミノ酸測定を行った。ニンヒドリン試薬は、Ｌ−８９００用ニンヒドリン発色溶液セット（和光純薬工業株式会社製）を用いた。測定試料の調製は、９６Ｗｅｌｌマルチプレートに、試料５０μｌ、発色溶液Ａ  ５０μｌ、発色溶液Ｂ  ５０μｌをそれぞれ加えて撹拌後、８０℃のオーブンにて５分間加熱した。これをマルチプレートリーダー（製品名「ＭＴＰ−４５０」、コロナ電気株式会社製）を用い、５５０ｎｍにて測定した。検量線は、アミノ酸混合標準液ＡＮ−ＩＩ型とＢ型とを混合した物（４０種類のアミノ酸各２ｎｍｏｌ含有）を用いて作成した。
【００５４】
各試料は、ニンヒドリン反応にて測定した値と水分計にて測定した水分量とを元に、桑葉乾燥重量１ｇ当たりの総アミノ酸量を算出した。測定結果を、図１１に示す。総アミノ酸量は、３検体の平均値で示している。図１１に示すように、総アミノ酸含有量は、処理ＰＰの方が無処理ＰＰよりも多く、処理ＰＥの方が無処理ＰＥよりも多くなっていることが確認された。
【図１】
2012213350.tif 000004
【図２】
2012213350.tif 000005
【図３】
2012213350.tif 000006
【図４】
2012213350.tif 000007
【図５】
2012213350.tif 000008
【図６】
2012213350.tif 000009
【図７】
2012213350.tif 000010
【図１１】
2012213350.tif 000011
【図８】
2012213350.tif 000012
【図９】
2012213350.tif 000013
【図１０】
2012213350.tif 000014
【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
プロアントシアニジンとトレハロースとを含むことを特徴とする収穫された植物の葉用ポリフェノール増加剤。
【請求項２】
プロアントシアニジンとトレハロースとを含むことを特徴とする収穫された植物の葉用ポリフェノールおよびアミノ酸増加剤。
【請求項３】
前記プロアントシアニジンと前記トレハロースとが１：１５乃至１：６０の重量比で含まれていることを特徴とする請求項１記載の植物の葉用ポリフェノール増加剤または請求項２記載の植物の葉用ポリフェノールおよびアミノ酸増加剤。
【請求項４】
請求項１記載の植物の葉用ポリフェノール増加剤または請求項２記載の植物の葉用ポリフェノールおよびアミノ酸増加剤を含んでいることを特徴とする植物の葉保存用シート。
【請求項５】
請求項１記載の植物の葉用ポリフェノール増加剤または請求項２記載の植物の葉用ポリフェノールおよびアミノ酸増加剤を含んでいることを特徴とする、請求項４記載の植物の葉保存用シートを製造するための樹脂ペレット。
【請求項６】
請求項４記載の樹脂ペレットを１５０乃至２００℃で融解した後、厚さ２０乃至５０μｍのシート状に加工することを特徴とする植物の葉保存用シートの製造方法。
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
プロアントシアニジンとトレハロースとを含むことを特徴とする収穫された茶葉用ポリフェノール増加剤。
【請求項２】
プロアントシアニジンとトレハロースとを含むことを特徴とする収穫された茶葉用ポリフェノールおよびアミノ酸増加剤。
【請求項３】
前記プロアントシアニジンと前記トレハロースとが１：１５乃至１：６０の重量比で含まれていることを特徴とする請求項１記載の収穫された茶葉用ポリフェノール増加剤または請求項２記載の収穫された茶葉用ポリフェノールおよびアミノ酸増加剤。
【請求項４】
請求項１記載の収穫された茶葉用ポリフェノール増加剤または請求項２記載の収穫された茶葉用ポリフェノールおよびアミノ酸増加剤を含む樹脂ペレットをシート状に加工して成ることを特徴とする収穫された茶葉保存用シート。
【請求項５】
請求項１記載の収穫された茶葉用ポリフェノール増加剤または請求項２記載の収穫された茶葉用ポリフェノールおよびアミノ酸増加剤を含んでいることを特徴とする、請求項４記載の収穫された茶葉保存用シートを製造するための樹脂ペレット。
【請求項６】
請求項５記載の樹脂ペレットを１５０乃至２００℃で融解した後、厚さ２０乃至５０μｍのシート状に加工することを特徴とする収穫された茶葉保存用シートの製造方法。
【手続補正３】
【補正対象書類名】明細書
【補正対象項目名】０００１
【補正方法】変更
【補正の内容】
【０００１】
本発明は、収穫された茶葉用ポリフェノール増加剤、収穫された茶葉用ポリフェノールおよびアミノ酸増加剤、樹脂ペレット、収穫された茶葉保存用シートならびに収穫された茶葉保存用シートの製造方法に関する。
【手続補正４】
【補正対象書類名】明細書
【補正対象項目名】０００５
【補正方法】変更
【補正の内容】
【０００５】
本発明は、このような課題に着目してなされたもので、収穫された茶葉の保存性を高めることができる収穫された茶葉用ポリフェノール増加剤、収穫された茶葉用ポリフェノールおよびアミノ酸増加剤、樹脂ペレット、収穫された茶葉保存用シートならびに収穫された茶葉保存用シートの製造方法を提供することを目的としている。
【手続補正５】
【補正対象書類名】明細書
【補正対象項目名】０００６
【補正方法】変更
【補正の内容】
【０００６】
上記目的を達成するために、本発明に係る収穫された茶葉用ポリフェノール増加剤は、プロアントシアニジンとトレハロースとを含むことを特徴とする。
【手続補正６】
【補正対象書類名】明細書
【補正対象項目名】０００７
【補正方法】変更
【補正の内容】
【０００７】
本発明に係る収穫された茶葉用ポリフェノール増加剤は、腐敗を抑制することにより乳酸菌を増やすことができ、その結果、乳酸発酵を促進して植物の葉に含まれるポリフェノールを増やすことができる。このように、本発明に係る収穫された茶葉用ポリフェノール増加剤は、収穫された茶葉の保存性を高めることができる。
【手続補正７】
【補正対象書類名】明細書
【補正対象項目名】０００８
【補正方法】変更
【補正の内容】
【０００８】
本発明に係る収穫された茶葉用ポリフェノールおよびアミノ酸増加剤は、プロアントシアニジンとトレハロースとを含むことを特徴とする。本発明に係る収穫された茶葉用ポリフェノールおよびアミノ酸増加剤は、乳酸発酵を促進して植物の葉に含まれるポリフェノールを増やすことができるとともに、植物の葉に含まれる分岐鎖アミノ酸や必須アミノ酸などを増やすことができ、植物の葉の長期貯蔵、高機能性および栄養分の増強を図ることができる。
【手続補正８】
【補正対象書類名】明細書
【補正対象項目名】０００９
【補正方法】変更
【補正の内容】
【０００９】
本発明に係る収穫された茶葉用ポリフェノール増加剤および本発明に係る収穫された茶葉用ポリフェノールおよびアミノ酸増加剤は、前記プロアントシアニジンと前記トレハロースとが１：１５乃至１：６０の重量比で含まれていることが好ましい。この場合、特にポリフェノールの増加促進効果が高く、植物の葉の保存性が高い。
【手続補正９】
【補正対象書類名】明細書
【補正対象項目名】００１０
【補正方法】変更
【補正の内容】
【００１０】
本発明に係る収穫された茶葉用ポリフェノール増加剤ならびに収穫された茶葉用ポリフェノールおよびアミノ酸増加剤は、植物の葉を保存するためであれば、どのように使用されてもよい。例えば、葉を包むためのシートや葉を収納するための容器に塗布するなどして使用される。本発明に係る収穫された茶葉用ポリフェノール増加剤ならびに収穫された茶葉用ポリフェノールおよびアミノ酸増加剤で、トレハロースは、３種類の異性体、α，α体、α，β体およびβ，β体のいずれであってもよい。また、プロアントシアニジンの原料は、ブドウの種子、黒大豆、その他、原料を問わないが、特にブドウ種子由来のプロアントシアニジンが好ましい。
【手続補正１０】
【補正対象書類名】明細書
【補正対象項目名】００１１
【補正方法】変更
【補正の内容】
【００１１】
本発明に係る収穫された茶葉保存用シートは、本発明に係る収穫された茶葉用ポリフェノール増加剤、または本発明に係る収穫された茶葉用ポリフェノールおよびアミノ酸増加剤を含む樹脂ペレットをシート状に加工して成ることを特徴とする。
【手続補正１１】
【補正対象書類名】明細書
【補正対象項目名】００１２
【補正方法】変更
【補正の内容】
【００１２】
本発明に係る収穫された茶葉保存用シートは、本発明に係る収穫された茶葉用ポリフェノール増加剤、または本発明に係る収穫された茶葉用ポリフェノールおよびアミノ酸増加剤を含んでいるため、茶葉の包装等に使用することにより、その植物の葉の保存性を高めることができる。また、植物の葉に含まれるポリフェノールやアミノ酸を増加させることができる。より保存性を高めるため、植物の葉を包んだ後、内部の空気を抜いてもよい。本発明に係る収穫された茶葉保存用シートは、袋状、箱状、折り畳まれた形状、ロール状、その他、いかなる形状から成っていてもよい。
【手続補正１２】
【補正対象書類名】明細書
【補正対象項目名】００１３
【補正方法】変更
【補正の内容】
【００１３】
本発明に係る収穫された茶葉保存用シートは、本発明に係る収穫された茶葉用ポリフェノール増加剤、または本発明に係る収穫された茶葉用ポリフェノールおよびアミノ酸増加剤を含む樹脂ペレットを、１５０乃至２００℃で融解した後、厚さ２０乃至５０μｍのシート状に加工して製造されてもよい。樹脂ペレットは、本発明に係る収穫された茶葉用ポリフェノール増加剤または収穫された茶葉用ポリフェノールおよびアミノ酸増加剤と、ポリエチレン、ポリプロピレン、ポリ塩化ビニル、ポリスチレン、ポリアミド、ポリアセタール、ポリエチレンテレフタレート、ポリカーボネート、エチレン−酢酸共重合体およびＡＢＳ樹脂のうちの１または複数から成る樹脂とを混合して形成されていることが好ましい。
【手続補正１３】
【補正対象書類名】明細書
【補正対象項目名】００１４
【補正方法】変更
【補正の内容】
【００１４】
また、本発明に係る収穫された茶葉保存用シートは、本発明に係る収穫された茶葉用ポリフェノール増加剤、または本発明に係る収穫された茶葉用ポリフェノールおよびアミノ酸増加剤を、通気性を有するシートに含有させて成っていてもよい。本発明に係る収穫された茶葉保存用シートは、食塩その他のミネラル、抗菌剤、防カビ剤、脱臭剤等の添加剤を含んでいてもよい。
【手続補正１４】
【補正対象書類名】明細書
【補正対象項目名】００１５
【補正方法】変更
【補正の内容】
【００１５】
本発明に係る収穫された茶葉保存用シートは、プロアントシアニジンとトレハロースとを通気性を有するシートに含有させて成り、プロアントシアニジンはシートに２５０乃至３００ｍｇ／ｍ２の割合で含有されており、トレハロースはシートに５ｇ／ｍ２の割合で含有されていてもよい。
【手続補正１５】
【補正対象書類名】明細書
【補正対象項目名】００１６
【補正方法】変更
【補正の内容】
【００１６】
なお、茶葉の収穫期は短期間であり、収穫後の加工作業も茶葉が腐食しないうちに短期間で行う必要がある。このため、特定の期間に作業が集中し、年間を通じた安定した労働力の確保が難しかった。また、年間を通じて安定した労働力を確保するためには、年間を通じてコンスタントにお茶の加工・生産を行う必要があり、加工前の茶葉を腐食させることなく保存しておく必要がある。本発明に係る収穫された茶葉用ポリフェノール増加剤、収穫された茶葉用ポリフェノールおよびアミノ酸増加剤、ならびに収穫された茶葉保存用シートによれば、茶葉の保存性を高めることができるため、保存した茶葉を利用して、年間を通じてコンスタントにお茶の加工・生産を行うことができる。また、これにより、年間を通じて安定した労働力の確保を図ることができる。
【手続補正１６】
【補正対象書類名】明細書
【補正対象項目名】００１７
【補正方法】変更
【補正の内容】
【００１７】
本発明によれば、茶葉の保存性を高めることができる収穫された茶葉用ポリフェノール増加剤、収穫された茶葉用ポリフェノールおよびアミノ酸増加剤、樹脂ペレット、収穫された茶葉保存用シートならびに収穫された茶葉保存用シートの製造方法を提供することができる。